(57)【要約】      （修正有）【課題】ブーツへの挿入及び抜き取りが容易且つ確実であり、連結用の紐状体やブーツキーパー本体の損傷を招く虞が少ないブーツキーパーを提供する。【解決手段】左右一対のブーツの各々の履き口から各々のブーツ脚部６２内に挿入することで該ブーツの型崩れを防止するブーツキーパーにおいて、ブーツキーパー本体１が、空気注入による膨出によって形態を保持する筒状袋体から成り、前記ブーツ脚部内に挿入した際に該ブーツの履き口からブーツキーパー本体の上部が突出する長さを有し、この突出した部分の側方部の少なくとも一部が握持部であり、突出した部分の側方部の少なくとも一部に、左右一対のブーツに挿入されるブーツキーパーの夫々を連結するための紐状体２が取付けられる上部取付部が設けられた構成とする。【選択図】図２
0003147201.tif 000002
【実用新案登録請求の範囲】
【請求項１】
左右一対のブーツの各々の履き口から各々のブーツ脚部内に挿入することで該ブーツの型崩れを防止するブーツキーパーにおいて、
ブーツキーパー本体が、空気注入による膨出によって形態を保持する筒状袋体から成り、
前記ブーツ脚部内に挿入した際に該ブーツの履き口からブーツキーパー本体の上部が突出する長さを有し、
この突出した部分の側方部の少なくとも一部が握持部であり、
突出した部分の側方部の少なくとも一部に、左右一対のブーツに挿入されるブーツキーパーの夫々を連結するための紐状体が取付けられる上部取付部が設けられた構成であること、
を特徴とするブーツキーパー。
【請求項２】
前記握持部が前記突出した部分の側方部の少なくとも一部に形成された括れ部であることを特徴とする請求項１に記載のブーツキーパー。
【請求項３】
前記握持部が前記突出した部分の側方部の少なくとも一部に形成された膨出凸部であることを特徴とする請求項１又は２に記載のブーツキーパー。
【請求項４】
前記ブーツキーパー本体の下部に、消臭剤（又は脱臭剤）及び／又は除湿剤を取付けるための下部取付部が設けられた構成であることを特徴とする請求項１〜３のいずれかに記載のブーツキーパー。
【請求項５】
前記上部取付部が、前記括れ部より上方の側方部に設けられた構成であることを特徴とする請求項１〜４のいずれかに記載のブーツキーパー。
【請求項６】
一対のブーツキーパーと、該一対のブーツキーパー同士を接続するために夫々に設けられた前記上部取付部に取付けて連結するための紐状体と、を有する構成であることを特徴とする請求項１〜５のいずれかに記載のブーツキーパー。
【請求項７】
消臭剤（又は脱臭剤）及び／又は除湿剤を収納する二つの袋状体と、該二つの袋状体をブーツキーパー本体の下部に設けられた前記下部取付部に接続するための紐状体と、を有する構成であることを特徴とする請求項６に記載のブーツキーパー。
【請求項８】
前記ブーツキーパー本体の表面に模様が施されていることを特徴とする請求項１〜７のいずれかに記載のブーツキーパー。
【考案の詳細な説明】
【技術分野】
【０００１】
本考案はブーツキーパーに関し、詳しくはブーツの型崩れを防止すると共に保管時におけるブーツの転倒を抑制するブーツキーパーに関する。
【背景技術】
【０００２】
ブーツキーパーは、非着用時のブーツの長い脚部内に挿入することで該ブーツの型崩れや皺を防止することでブーツを長持ちさせるためのものである。
【０００３】
ブーツキーパーは、本来はシーダーのような堅い木材で作られていたが、価格や取扱性等の点でプラスチック製が一般的となっている。更に近年は、より低価格且つ簡易に利用できるものとして空気注入による膨出によって形態を保持した樹脂製の筒状袋体から成るものが現れている（例えば、特許文献１〜３等参照。）。
【０００４】
【特許文献１】登録実用新案第３０９５７３０号
【特許文献２】登録実用新案第３０８１３１８号
【特許文献３】特開２００２−２２３７１３号
【考案の開示】
【考案が解決しようとする課題】
【０００５】
特許文献１には、空気注入式のブーツキーパー本体の最上面部に連結用の紐状体を通すためのフック部が設けられた構成の技術が記載されている。
【０００６】
特許文献２及び３には、空気注入式のブーツキーパー本体の最上面部同士を連結するための帯紐状体が最上面部に取付けられた構成の技術が記載されている。
【０００７】
特許文献１〜３の技術は、いずれもブーツキーパー本体の略全部がブーツ脚部内に入り込む長さに構成されているため、ブーツ脚部に挿入した状態では該ブーツキーパー本体はその最上面部がブーツの履き口から覗く程度となっている。
【０００８】
従って、ブーツ着用に際してブーツキーパー本体を抜き取るためには、該ブーツキーパー本体を掴むことはできず、連結用の紐状体又は帯紐状体を掴んで引き抜く必要があり、多数回の使用、経時劣化、或いはブーツ脚部にブーツキーパー本体がきつめに挿入されていた場合等の引き抜き等によって、紐状体又は帯紐状体が千切れたり、紐状体や帯紐状体の取付部分が千切れたり破れたりする場合があった。特に、取付部分が千切れたり破れた場合にはブーツキーパー本体が損傷することになるので空気漏れが生じ、ブーツキーパーとしての形態維持が困難になるためブーツキーパーとしての本来の機能を果たせなくなるという重大な欠点を有している。
【０００９】
そこで本考案の課題は、ブーツへの挿入及び抜き取りが容易且つ確実であり、連結用の紐状体やブーツキーパー本体の損傷を招く虞が少ないブーツキーパーを提供することにある。
【課題を解決するための手段】
【００１０】
上記課題を解決する本考案は下記構成を有する。
【００１１】
１．左右一対のブーツの各々の履き口から各々のブーツ脚部内に挿入することで該ブーツの型崩れを防止するブーツキーパーにおいて、
ブーツキーパー本体が、空気注入による膨出によって形態を保持する筒状袋体から成り、
前記ブーツ脚部内に挿入した際に該ブーツの履き口からブーツキーパー本体の上部が突出する長さを有し、
この突出した部分の側方部の少なくとも一部が握持部であり、
突出した部分の側方部の少なくとも一部に、左右一対のブーツに挿入されるブーツキーパーの夫々を連結するための紐状体が取付けられる上部取付部が設けられた構成であること、
を特徴とするブーツキーパー。
【００１２】
２．前記握持部が前記突出した部分の側方部の少なくとも一部に形成された括れ部であることを特徴とする上記１に記載のブーツキーパー。
【００１３】
３．前記握持部が前記突出した部分の側方部の少なくとも一部に形成された膨出凸部であることを特徴とする上記１又は２に記載のブーツキーパー。
【００１４】
４．前記ブーツキーパー本体の下部に、消臭剤（又は脱臭剤）及び／又は除湿剤を取付けるための下部取付部が設けられた構成であることを特徴とする上記１〜３のいずれかに記載のブーツキーパー。
【００１５】
５．前記上部取付部が、前記括れ部より上方の側方部に設けられた構成であることを特徴とする上記１〜４のいずれかに記載のブーツキーパー。
【００１６】
６．一対のブーツキーパーと、該一対のブーツキーパー同士を接続するために夫々に設けられた前記上部取付部に取付けて連結するための紐状体と、を有する構成であることを特徴とする上記１〜５のいずれかに記載のブーツキーパー。
【００１７】
７．消臭剤（又は脱臭剤）及び／又は除湿剤を収納する二つの袋状体と、該二つの袋状体をブーツキーパー本体の下部に設けられた前記下部取付部に接続するための紐状体と、を有する構成であることを特徴とする上記６に記載のブーツキーパー。
【００１８】
８．前記ブーツキーパー本体の表面に模様が施されていることを特徴とする上記１〜７のいずれかに記載のブーツキーパー。
【考案の効果】
【００１９】
請求項１に示す考案によれば、ブーツへの挿入及び抜き取りが容易且つ確実であり、連結用の紐状体やブーツキーパー本体の損傷を招く虞が少ないブーツキーパーを提供することができる。
【００２０】
特に、ブーツ着用に際してブーツキーパー本体を抜き取る際には、ブーツの履き口から突出したブーツキーパー本体の上部を掴んで引き抜くことができる。視覚的にも、連結用の紐状体を掴むよりも、履き口から突出したブーツキーパー本体の方が遥かに掴み易い印象を自然に付与するので、自ずとブーツキーパー本体を掴んでの引き抜きとなる。従って、従来のように紐状体を掴んで引っ張ることによる該紐状体の千切れや上部取付部の千切れ・破れによるブーツキーパー本体の損傷を未然に防ぐことができる。
【００２１】
また、連結用の紐状体を取付ける上部取付部の夫々が相対向する内側に位置するように一対のブーツキーパーを左右一対のブーツに挿入することで、上部取付部同士の距離を近接させることができるので前記紐状体の長さを前記特許文献１〜３等に記載の従来技術に比して著しく短くすることができ、転倒防止効果をより高めることができる。この点、前記特許文献１〜３の技術は、連結用の紐状体又は帯紐状体がブーツキーパー本体の最上面部の略中央部に取付けられた構成であるため、取付部分の距離は少なくとも１０ｃｍ程度となるので取付けられる紐状体又は帯紐状体は少なくとも１０ｃｍ程度以上の長さとなり、左右何れかのブーツが倒れかかった際の安定性が低くなっている。
【００２２】
請求項２に示す考案によれば、ブーツ着用に際してブーツキーパー本体を抜き取る際には、ブーツの履き口から突出した部分に形成された括れ部を掴むようにして該ブーツキーパー本体を握持することができるので取扱性が良好であり、ブーツからの引き抜きが極めて容易となる。
【００２３】
請求項３に示す考案によれば、ブーツ着用に際してブーツキーパー本体を抜き取る際には、ブーツの履き口から突出した部分に形成された膨出凸部を掴むようにして該ブーツキーパー本体を握持することができるので取扱性が良好であり、ブーツからの引き抜きが極めて容易となる。
【００２４】
また、ブーツの履き口から突出した部分に膨出凸部と括れ部の両方が形成された構成の場合には、その両方又はいずれか一方の掴みやすい部分を掴んでブーツキーパー本体を握持することができるので取扱性が良好であり、ブーツからの引き抜きが極めて容易となる。
【００２５】
請求項４に示す考案によれば、発汗の多いブーツ内底部に消臭剤（又は脱臭剤）及び／又は除湿剤を配設することができるので、非着用時の消臭（又は脱臭）及び／又は除湿を効果的に行うことができる。
【００２６】
請求項５に示す考案によれば、左右一対のブーツに挿入された一対のブーツキーパー本体の上部取付部同士の距離をより近接させることができることから紐状体の長さをより短くすることができるので、転倒防止効果を更に高めることができる。
【００２７】
請求項６に示す考案によれば、一対のブーツキーパーと連結用の紐状体とがセット構成されるので、左右一対の一足のブーツに用いることで該ブーツの防止すると共に保管時におけるブーツの転倒を抑制することができる。
【００２８】
請求項７に示す考案によれば、消臭剤（又は脱臭剤）及び／又は除湿剤を二つの袋状体に収納することでブーツ内底部の消臭（又は脱臭）及び／又は除湿を行うことができると共に、夫々の効果が弱まったり無くなった場合には、前記袋状体に収納した消臭剤（又は脱臭剤）及び／又は除湿剤を容易に交換することができる。
【００２９】
請求項８に示す考案によれば、ブーツキーパー本体の表面にシューレース（靴紐）模様やレースソックス模様の如き模様を施すことで趣向性を増したり審美性を向上させることができる。
【考案を実施するための最良の形態】
【００３０】
次に、添付の図面に従って本考案を詳細に説明する。
【００３１】
図１は本考案に係るブーツキーパーの一実施例を示す５面図｛正面図、左側面図、右側面図、平面図、底面図（背面図は正面図と対称のため省略）｝、図２は本考案に係るブーツキーパーの使用状態の一例を説明する概略説明斜視図、図３は本考案に係るブーツキーパーの他の実施例を示す正面図である。
【００３２】
図１及び図２に示すように、本考案に係るブーツキーパーは、左右一対のブーツ６の各々の履き口６１から各々のブーツ脚部６２内に挿入することで該ブーツ６の型崩れを防止するものであり、ブーツキーパー本体１が、空気注入による膨出によって形態を保持する筒状袋体から成り、前記ブーツ脚部６２内に挿入した際に該ブーツ６の履き口６１からブーツキーパー本体１の上部１０が突出する長さを有し、この突出した部分である上部１０の側方部の少なくとも一部に括れ部１１を有し、該括れ部１１と同様により前記上部１０の側方部の少なくとも一部に上部取付部１２が設けられ、該上部取付部１２に紐状体２が取付けられることで左右一対のブーツ６に挿入されるブーツキーパー１の夫々を連結することで前記左右一対のブーツ６の転倒防止を図るものである。
【００３３】
本考案において、ブーツキーパーが適用されるブーツ６は、男性用・女性用を問わず、ブーツ・長靴・乗馬靴等の深型のものであるが、好ましくは膝下までの女性用ブーツを主に対象としている。
【００３４】
上述した膝下までの女性用ブーツに適用する場合、ブーツ６のブーツ脚部６２の長さは膝下までの女性用ブーツとして一般的な長さである３５〜４０ｃｍ程度に適した構成とすることが好ましい。具体的には、ブーツキーパー本体１の長さは、上部１０を除いた部分（ブーツ脚部６２内に挿入される部分）が前記した３５〜４０ｃｍ程度の長さが好ましく、ブーツ６の履き口６１から突出する部分である上部１０はブーツ脚部６２への挿入時・引き抜き時の取扱性から約１０ｃｍ程度の長さが好ましく、従ってこれらの合計である全体の長さは４５〜５０ｃｍ程度であることが好ましい。
【００３５】
また、ブーツキーパー本体１の上部１０の太さは、脚部６２内へ挿入する際や引き抜く際に持ち易い太さに形成されていることが好ましく、具体的には直径５〜１２ｃｍ程度であることが好ましい。括れ部１１の太さは、上部１０を持った際に、指先が該括れ部１１に掛かることでより持ち易くなるように、上部１０の太さに対して１０〜２５％程度細く形成されていることが好ましい。尚、ブーツキーパー本体１のブーツ脚部６１内に挿入される各部（ブーツ脚部６２の足首部・脹脛部や履き口部６１等）の太さは、この種のブーツ６に用いられる一般的なブーツキーパーと同等の太さに形成される。
【００３６】
前記括れ部１１は、ブーツキーパー本体１の上部１０の側方部の一部に設けられていればよいし、上部１０の側方部の全周に設けられていてもよいが、好ましくは図１及び図２に示すように上部１０の側方部の両側に設けられていることである。尚、この握持部である括れ部１１は本考案において最も好ましい構成であるが必須の構成ではなく、該括れ部１１が設けられることなく上部１０が所謂ずん胴状態に形成された構成や、括れとは反対に上部１０の側方部の少なくとも一部が膨らんだ膨出凸部を形成した構成や、上部１０の少なくとも一部に括れ部と膨出凸部の両方が設けられた構成も本考案に包含される。
【００３７】
前記上部取付部１２は、前記上部１０の側方部の少なくとも一部である、括れ部１１の部分、膨出凸部が設けられている場合には該膨出凸部の部分、括れ部１１や膨出凸部が設けられていない部分のいずれの部分に設けられていればよいが、好ましくは図１及び図２に示すように前記括れ部１１より上方の側方部に設けられていることである。
【００３８】
また、前記上部取付部１２には、前記紐状体２を挿通するための透孔１３が形成されている。該透孔１３に挿通されることで一対のブーツキーパー本体１を連結する紐状体２としては、合成樹脂製や綿等の糸乃至は紐、鎖、針金・ワイヤー類等を用いることができるが、結束性・取扱性の点からタイラップ等の合成樹脂製結束バンドが最も好ましい。
【００３９】
図１の平面図に現れる符号１７は、空気注入（又は空気排出）のためのバルブである。また、図１の各図に示される符号１８は、塩化ビニル等の合成樹脂製のフィルム乃至はシートで形成されるブーツキーパー本体１を立体的な袋形状に成形する際に熱溶着された部分であるシーム部である。
【００４０】
また、前記ブーツキーパー本体１の下部には、消臭剤（又は脱臭剤）及び／又は除湿剤５を取付けるための下部取付部１５が設けられていることが好ましい。該下部取付部１５には透孔１６が形成されており、該透孔１６に挿通する紐状体３によって袋状体４を接続し、該袋状体４に消臭剤（又は脱臭剤）及び／又は除湿剤５を収納することでブーツ６内部の消臭（又は脱臭）及び／又は除湿を行うことが可能となる。消臭剤（又は脱臭剤）及び／又は除湿剤５としては、靴用の消臭剤（又は脱臭剤）・除湿剤（又は乾燥剤）として公知公用のものを用いることができる。尚、消臭剤（又は脱臭剤）及び／又は除湿剤５は、夫々の効果が弱まったり無くなった場合には、袋状体４から取出して新規なものに容易に交換することができる。
【００４１】
下部取付部１５に袋状体４を接続する紐状体３としては、前記した連結用の紐状体２と同様に、合成樹脂製や綿等の糸乃至は紐、鎖、針金・ワイヤー類等を用いることができるが、結束性・取扱性の点からタイラップ等の合成樹脂製結束バンドが最も好ましい。
【００４２】
以上、本考案に係るブーツキーパーの実施例について説明したが、本考案は上記実施例に限定されず、本考案の範囲内において他の態様を採ることもできる。
【００４３】
例えば、ブーツキーパー本体１の表面に模様を施すことで趣向性を増したり審美性を向上させることもできる。施す模様としては、文字、着色（グラデーション、単色ないし複数色の着色等）、模様柄（豹柄等の動物柄、市松・小紋・青海波等の伝統柄、ストライプ、星、花、雲、波等の絵柄）等の様々な模様を挙げることができる。
【００４４】
施す模様としては、上記の他に、レース柄や縄網柄等のストッキング（ソックス）を模した模様を施すことで、使用時（ブーツ６に挿入した時）には履き口６１から突出した部分にレース柄や縄網柄等の模様が現れて趣向性が増し、非使用時（ブーツ６に挿入していない時）には木製やプラスチック製或いは空気注入構成の黒色・茶色の単色ブーツキーパーとは異なり審美性を有したものとすることもできる。また、図３に示すように、ブーツキーパー本体１の表面にシューレース（靴紐）模様の如き編み上げブーツのデザインを模した模様１９を施すことで、非使用時に玄関や靴箱にブーツキーパー単体で置いた場合にあたかも編み上げブーツが置いてあるかのように見せる趣向性に富んだものとすることもできる。
【００４５】
また、適用されるブーツが膝下よりも短いショートブーツや膝上まであるロングブーツのように長さが上記実施例に用いたブーツ６とは異なる場合、或いは男性用の長靴やウエスタンブーツのようにブーツ脚部が上記実施例に用いたブーツ６とは異なる場合には、ブーツキーパー本体１の長さ・太さを夫々適用するブーツに対応する長さ・太さのものを用意しておくことが好ましい。
【図面の簡単な説明】
【００４６】
【図１】本考案に係るブーツキーパーの一実施例を示す５面図｛正面図、左側面図、右側面図、平面図、底面図（背面図は正面図と対称のため省略）｝
【図２】本考案に係るブーツキーパーの使用状態の一例を説明する概略説明斜視図
【図３】本考案に係るブーツキーパーの他の実施例を示す正面図
【符号の説明】
【００４７】
１  ブーツキーパー本体
１０  上部
１１  括れ部
１２  上部取付部
１３  透孔
１４  下部
１５  下部取付部
１６  透孔
１７  バルブ
１８  シーム部
１９  模様
２  紐状体
３  紐状体
４  袋状体
５  消臭剤（又は脱臭剤）及び／又は除湿剤
６  ブーツ
６１  履き口
６２  ブーツ脚部
【図１】
0003147201.tif 000003
【図２】
0003147201.tif 000004
【図３】
0003147201.tif 000005